(57)【要約】空気処理剤で空気を高質化する装置は、液体の空気処理剤（１２）を受容するための保存容器（１０）を有する。空気処理剤（１２）を加熱するための蒸発手段（４６）は保存容器（１０）にパイプ（３０）を通じて接続される。前記保存容器（１０）と前記蒸発手段（４６）の間に設けられた投与手段（３８）は、空気処理剤の前記蒸発手段（４６）への量−制限された供給を生じる。前記蒸発手段（４６）は混合容器（３２）に接続され、ここでは気化した空気処理剤が空気と混合され、気化した空気処理剤と空気の混合物は出口（５２）を通って、空気処理剤（１２）で処理される空間へと排出される。
2004532087.tif 000002
【特許請求の範囲】
【請求項１】
液体の空気処理剤（１２）を受容するための保存容器（１０）；
保存容器（１０）に接続された、空気処理剤（１２）を加熱するための蒸発手段（４６）；および
過剰の空気処理剤（１２）を蒸発手段（４６）から保存容器（１０）へと再循環させるための再循環手段（８８）を含有し、
前記蒸発手段（４６）は傾斜した蒸発表面（７４）を有し、この上を蒸発させる空気処理剤（１２）が流れる：
空気処理剤で空気を高質化する装置。
【請求項２】
前記蒸発表面（７４）は水平な平面に対して１０°〜３０°、好ましくは１５°〜２５°の傾斜を有することを特徴とする請求項１による装置。
【請求項３】
前記蒸発表面（７４）が流れの方向に走る搬送溝を有することを特徴とする請求項１または２による装置。
【請求項４】
前記蒸発手段（４６）は空気処理剤を蒸発表面（７６）上に均一に分散させるための供給ノズル（８２）を有することを特徴とする請求項１〜３のいずれかによる装置。
【請求項５】
前記供給ノズル（８２）は本質的に蒸発表面（７４）の幅全体に広がっていることを特徴とする請求項４による装置。
【請求項６】
前記再循環手段（８８）は回収手段を有し、好ましくはこれは漏斗型であることを特徴とする請求項１〜５のいずれかによる装置。
【請求項７】
前記再循環手段（８８）および前記供給ノズル（８２）は互いに反対側に配置されていることを特徴とする請求項４〜６のいずれかによる装置。
【請求項８】
気化した空気処理剤を空気と混合させるために、前記蒸発手段（４６）に接続され、空気が流れる混合容器（９４）を特徴とする請求項１〜７のいずれかによる装置。
【請求項９】
空気の流れを発生させるための因子（５６）であって、前記空気の流れを発生させるための因子（５６）は蒸発手段（４６）の下側に配置され、これによって空気が横方向に蒸発手段を通過して流れることを特徴とする請求項１〜８のいずれかによる装置。
【請求項１０】
液体の空気処理剤（１２）を受容するための保存容器（１０、６２）；
保存容器（１０、６２）に接続された、空気処理剤（１２）を加熱するための蒸発手段（４６）；
前記保存容器（１０、６２）と前記蒸発手段（４６）の間に、液体の空気処理剤（１２）の前記蒸発手段（４６）への量−制限された供給のために設けられた投与手段（３８）；および
気化した空気処理剤を空気と混合させるために、前記蒸発手段（４６）に接続され、空気が流れる混合容器（３２）を含有する：
空気処理剤で空気を高質化する装置。
【請求項１１】
前記投与手段は出口（３８）を有し、その断面積は０．００７８ｍｍ２以下、特に０．０００３１ｍｍ２以下であることを特徴とする請求項１０による装置。
【請求項１２】
保存容器（１０、６２）および蒸発手段（４６）は異なった高さにあり、これによって空気処理剤（１２）の供給が独占的に重力によって行われることを特徴とする請求項１０または１１による装置。
【請求項１３】
前記投与手段は、前記空気処理剤（１２）を前記混合容器（３２）へと搬送するための搬送手段を有することを特徴とする請求項１１〜１２のいずれかによる装置。
【請求項１４】
前記蒸発手段（４６）は前記混合容器（３２）内に配置されることを特徴とする請求項１〜１３のいずれかによる装置。
【請求項１５】
前記混合容器（３２）は少なくとも１つの空気入口開口部（５４）を有し、空気入口開口部（５４）と通って空気を吸引し、かつ空気と気化した空気処理剤との混合物を出口（５２）を通って排出する空気の流れ発生手段（５６）が混合容器（３２）に配置されることを特徴とする請求項１〜１４のいずれかによる装置。
【請求項１６】
前記蒸発手段（４６）は混合容器（３２）の底領域に配置され、出口（５２）は蒸発手段（４６）の反対側に配置され、煙突効果を生じることを特徴とする請求項１〜１５のいずれかによる装置。
【請求項１７】
前記空気入口開口部（５４）は前記蒸発手段（４６）の上方であって、前記混合容器（３２）の側壁に設けられることを特徴とする請求項１４〜１６のいずれかによる装置。
【請求項１８】
前記混合容器（３２）は出口（５２）方向に漏斗型の設計を有することを特徴とする請求項１〜１７のいずれかによる装置。
【請求項１９】
混合容器（３２）の出口（５２）を通って排出される空気と気化した空気処理剤の混合物は、空気１立方メートル当たり０．００００１〜０．５ｍｌ、好ましくは０．０００１〜０．０１ｍｌの空気処理剤含有量を有することを特徴とする請求項１〜１８のいずれかによる装置。
【請求項２０】
空気入口開口部（５４）の断面積は出口（５２）の断面積より大きいことを特徴とする請求項１５〜１９のいずれかによる装置。
【請求項２１】
前記保存容器（１０、６２）は圧力補正手段（２４）を有し、これによって大気圧が保存容器（１０、６２）中に広がるようにすることを特徴とする請求項１〜２０のいずれかによる装置。
【請求項２２】
前記圧力補正手段（２４）は粒子フィルターを有することを特徴とする請求項２１による装置。
【請求項２３】
前記蒸発手段（４６）は、空気処理剤（１２）を受容するための良好な熱伝導率を有する金属製の受容皿（４８）、および加熱手段（５０）、特に加熱フィルムを有し、加熱手段は前記受容皿（４８）に接続されていることを特徴とする請求項１〜２２のいずれかによる装置。
【請求項２４】
微細メッシュ篩（４４）が前記投与手段（３８）の手前に導入されていることを特徴とする請求項１〜２３のいずれかによる装置。
【請求項２５】
処理される空間に供給される空気と空気処理剤の混合物中の空気処理剤の含有量は５００ｐｐｂ以下、好ましくは１０ｐｐｂ以下であることを特徴とする請求項１〜２４のいずれかによる装置。
【請求項２６】
殺菌薬組成物を前記空気処理剤として使用することを特徴とする請求項１〜２５のいずれかによる装置。
【請求項２７】
前記殺菌薬組成物は１以上のＧＲＡＳ芳香剤またはその誘導体を含有することを特徴とする請求項２６による装置。
【請求項２８】
テルペン、コーンスターチ、マンガン塩、エッセンシャルオイルおよびポリビニルピロリドンから選択される少なくとも１つの匂い−マスキング成分（Ａ）を含有する匂い−マスキング組成物を前記空気処理剤として使用することを特徴とする請求項１〜２７のいずれかによる装置。
【請求項２９】
前記匂い−マスキング成分は、少なくとも１０，０００〜６０，０００、好ましくは３０，０００〜５０，０００の分子量を有するポリビニルピロリドンを含有することを特徴とする請求項２８による装置。
【請求項３０】
前記匂い−マスキング組成物はさらに、機能性芳香成分（Ｂ）を含有する請求項２８または２９による装置。
【請求項３１】
前記機能性芳香成分（Ｂ）は１、好ましくはいくつかの以下の物質：ヘキシルブチレート、オクチルアセテート、イソブチルイソブチレート、シス−３−ヘキセン−１−イルアセテート、γ−デカラクトン、エチルカプロエート、ブチルアセテート、エチルベンゾエート、エチルブチレート、ヘキシルアセテート、メチルカプロエート、フェニルエチルアルコール、シトロネロール、ウンデシルアルデヒド、ベンジルフェニルアセテート、シンナミルアルコール、オイゲノール、ベンジルアセテート、リナロオール、シス−ジャスモン、アセチルメチルアントラニレート、シス−３−ヘキセン−１−オール、シス−３−ヘキセン−１−イルサリチレート、メチルベンゾエート、メチルサリチレート、ゲラニルアセテート、シス−３−ヘキセン−１−イルアセテート、リトシー・クベバ、オレンジオイル、フェニルプロピルアルコールおよびフェニルエチルアセテートを含有することを特徴とする請求項３０による装置。
【請求項３２】
請求項１〜３１のいずれかによる空気を高質化する装置を含有する、冷却手段、特に家庭用冷蔵庫。
【請求項３３】
前記空気を高質化する装置（１１４）は冷却手段の収納容器に設けられ、前記空気を高質化する装置は冷却手段の内部空間（１２４）にダクト（１２２）を通じて接続されていることを特徴とする請求項３２による冷却手段。
【請求項３４】
前記空気を高質化する装置（１１４）は冷却手段の内部空間（１２４）に設けられていることを特徴とする請求項３２による冷却手段。
【請求項３５】
請求項１〜３１のいずれかによる空気を高質化する装置（１１４）を含有するコンピュータ。
【請求項３６】
前記空気を高質化する装置（１１４）はコンピュータのエアレーション手段（１３４）の領域に設けられていることを特徴とする請求項３５によるコンピュータ。
【請求項３７】
空気処理剤の搬送は前記コンピュータエアレーション手段（１３４）によって行われることを特徴とする請求項３６によるコンピュータ。
【請求項３８】
コンピュータによって発生した熱が前記蒸発手段としての役目を果たすことを特徴とする請求項３５〜３７のいずれかによるコンピュータ。
【請求項３９】
請求項１〜３１に規定したような装置を用い、冷却手段内での殺菌薬組成物および／または匂い−マスキング組成物の蒸発を含む、冷却手段を殺菌および／または消臭するための、特に冷蔵庫を殺菌するための方法。
【請求項４０】
請求項１〜３１に規定したような装置を用いた、コンピュータのエアレーションシステム領域に設けられた殺菌薬組成物の蒸発を含む、コンピュータおよびコンピュータが置かれた部屋を殺菌するための方法。
【請求項４１】
前記殺菌薬組成物は１以上のＧＲＡＳ芳香剤またはその誘導体を含有することを特徴とする請求項３９または４０による方法。
【請求項４２】
前記殺菌薬組成物は冷蔵庫を殺菌するために、０．０１〜０．５ｍｌ／ｈの量で蒸発する請求項３９または４１による方法。
【請求項４３】
冷却手段、コンピュータまたはコンピュータが置かれた部屋における殺菌薬組成物の濃度は５００ｐｐｂ以下、好ましくは１０ｐｐｂ以下である請求項３９〜４１のいずれかによる装置。
【発明の詳細な説明】
【技術分野】
【０００１】
本発明は、空気処理剤で空気を高質化するための、特に空気の殺菌または賦香および匂いのマスキング用の装置に関する。
【背景技術】
【０００２】
例えば、（アレルギー症状のある人の）居住空間、オフィスビル、搬送手段、衛生的な領域および公共の健康施設では、空気の処理が求められる。空気処理用として、エバポレーターが公知であり、ここでは空気処理剤を蒸発手段の助けによって蒸発させる。空気処理剤をこのような方法で蒸発させた場合、空気は比較的高濃度に処理剤で高質化され、これによって処理剤は処理される空間で凝結する場合がある。熱の印加による操作をエバポレーターが間欠的に行っても、空気処理剤の凝結を排除することはできず、凝結が間欠的になるだけである。冷たい物体、例えば、窓等における凝結は使用者を悩ませ、さらに、例えば汚れがこの凝結によって付着するので、これらの物体を汚す傾向が高くなる。さらに、木製家具等での凝結は家具の損傷を招きうる。
【０００３】
また、空気処理剤のスプレイ用の空圧式スプレイシステムが公知である。これは空気処理剤の微細噴霧化を含む。空圧式スプレイシステムの使用でも空気処理剤の凝結の発生を排除しない。
【０００４】
空気処理剤の他の分野の用途は、例えば、ベーキング工程後のベーカリー製品の冷却時の殺菌剤の導入である。パッケージングの前にベーカリー製品の表面に付着しているであろうかび菌を除去しなければならない。空気処理剤の凝結はこの分野でも望ましくないので、別の種類の高価な空気ろ過システムが用いられる。これは、かび菌が空気ろ過システムにおいて堆積し、空気フィルター自身がかびの源として働くという問題を含んでいる。結果的に、フィルターをしばしば取り替え、非常に完璧に浄化せねばならない。
【０００５】
さらに、熟成後のチーズの保存では、不都合なかびの発生が空気中に存在するかび菌からチーズの表面で生じるので、空気処理が必要である。これを排除するために、チーズを例えば、抗生物質を含有するコーティング剤でコートする。拡散により、抗生物質はチーズの外側部分に浸透する。これでは、チーズを食べた場合に、抗生物質が無意識に人体に取り込まれることになる。チーズ製造におけるろ過システムの使用はベーカリー製品の製造と同様の不都合を有する。
【発明の開示】
【発明が解決しようとする課題】
【０００６】
本発明の目的は、空気処理剤の凝結を排除した、空気処理剤で空気を高質化する装置を提供することである。
【０００７】
本発明によれば、この目的は請求項１および１０の特徴によって達成される。
【０００８】
第１の好ましい実施態様では、本発明による装置は、液体の空気処理剤を受容するための保存容器、および保存容器と例えば、パイプまたはホースを通じて接続された空気処理剤を加熱するための蒸発手段を含有する。本発明によれば、投与手段が保存容器と蒸発手段の間、即ち、例えば、前記ホースまたはパイプ内に設けられる。投与手段は、蒸発手段への液体の空気処理剤の速度制限された供給を確保する。本発明によれば、気化した空気処理剤を空気と混合する混合容器が蒸発手段に接続されている。空気と気化した空気処理剤の混合物を放出するために、混合容器は出口を有する。本発明によれば、空気を混合容器へと、例えば、入口開口部を通じて、供給される少量の液体の空気処理剤に比べて高速で供給するので、処理される空間に対して、１時間空気１立方メートル当たり０．１〜０．００００１ｍｌ、好ましくは０．０１〜０．００１ｍｌの量の空気処理剤を供給することができる。処理される空間に供給されるこの低量の空気処理剤により、空気処理剤の凝結をこの空間で検出することはできない。従って、冷たい窓等における迷惑な凝結は生じない。ゆえに、本発明による装置は特に、居住空間、待合室等に好適である。
【０００９】
混合容器の出口を出る気化した空気処理剤と空気の混合物において、空気処理剤の割合は好ましくは１００ｐｐｂ（ｐａｒｔｓ  ｐｅｒ  ｂｉｌｌｉｏｎ）以下、より好ましくは１０ｐｐｂ以下である。
【００１０】
好ましくは、空気の流れを発生させる手段、例えばファンを、気化した空気処理剤を空気と混合するための混合容器に配置する。ファンは空気を混合容器へと、混合容器に備えられた空気入口開口部を通じて吸い込むまたは吹き込む。さらに、空気の流れを発生させるための手段は空気と気化した空気処理剤の混合物を出口の外に放出または排出する役目を果たす。
【００１１】
好ましくは、１時間１立方メートル当たり０．０１ｍｌ〜１時間１立方メートル当たり０．００５ｍｌの量の空気処理剤を、処理される空間に供給する。従って、例えば、５０立方メートルの空気の空間に対して、０．５ｍｌ／時間〜０．２５ｍｌ／時間の量が保存容器から蒸発手段へと供給され、ここで蒸発される。
【００１２】
特に、空気の流れによる空気処理剤の液滴のドラッギングを排除するために、空気の流れを供給する手段の供給速度は速すぎてはならない。他方、比較的高い供給量が、空気１立方メートル当たり非常に低濃度の空気処理剤を達成するためには必要である。０．２５ｍｌ〜０．５ｍｌ／時間の量の空気処理剤を蒸発させるためには、空気の供給量流速は好ましくは、２５〜３５ｍ３／時間である。従って、空気の供給量と蒸発手段に供給される空気処理剤の量の割合は、１４０／１〜５０／１、好ましくは１００／１〜７０／１の範囲内である。
【００１３】
混合容器中の減圧を排除するために、混合容器の前記少なくとも１つの空気入口開口部は前記少なくとも１つの出口より大きい断面積を有する。数個の出口または入口開口部が存在する場合には、出口の断面積の合計が空気入口開口部の断面積の合計より実質的に小さい。
【００１４】
本発明の好ましい実施態様では、空気処理剤は連続的に蒸発手段に供給される。これを確保するために、投与手段は好ましくは出口を有し、ここを通って空気処理剤が蒸発手段へと排出され、かつこの出口は０．０７８ｃｍ２以下、特に０．０００３１４ｃｍ２以下の断面積を有する。この出口が円状である場合には、これは０．１ｍｍまたは０．２ｍｍの直径に対応する。好ましくは、出口の開口はあらかじめ設定されており、変化することはできない。出口の直径を変更することは、例えば、出口が設けられた対応するディスク等を変えることによって行われうる。また、比較的大きい出口開口を有するディスク等を設けることができ、蒸発手段へと供給される空気処理剤の量を、大きい空気出口開口を有するディスクの上流または下流により小さい出口開口を有するディスクを設けることによって、低減することができる。従って、例えば、このようなディスクを挿入するための挿入スロットを、保存容器と蒸発手段の間に配置されたパイプまたはホース中に設けることができる。
【００１５】
好ましくは、保存容器は蒸発手段に関して、異なった高さで（保存容器がより高い高さに配置される）装置のこれら２つの部品を有するように配置される。これは、保存容器と蒸発手段間の流体連絡、例えば、パイプまたはホースに傾斜を形成する。これは、ポンプまたは他の搬送手段を設ける必要なく、空気処理剤の蒸発手段への連続的供給を可能にする。ゆえに、本発明による装置においてエネルギー消費するものは蒸発手段とファンのみである。
【００１６】
非常に少量の空気処理剤しか蒸発させてはならず、かつ空気処理剤は一般に比較的揮発性の物質であるので、蒸発手段は好ましくは４０〜７０℃の温度を有する。
【００１７】
さらに、蠕動式ポンプまたは他の好適な搬送手段を、対応して取り付けられた小さい出口開口を有する投与手段の代わりに、空気処理剤を搬送するために設けることができる。好ましくは、空気処理剤は連続的に搬送される。空気処理剤の量はファンの供給量に依存する一方、他方では処理される空間の容量に依存する。連続的に供給する代わりに、空気処理剤を断続的に蒸発手段に供給することもできる。これには通常の安価な蠕動式ポンプを用いることができるという利点がある。
【００１８】
好ましくは、保存容器は圧力補正手段を有し、これによって常に保存容器中を減圧よりむしろ常圧にする。減圧は蒸発手段に供給される空気処理剤の量に影響しうる。保存容器は好ましくは、カバー等で封止される。カバーは、保存容器を充填するために除去可能であり、好ましくは粒子フィルターを有する。粒子フィルターは、圧力補正のために空気が保存容器中を流れることができるが、粒子、例えば埃が保存容器に進入するのを防止するように設計される。このような粒子は投与手段を阻害し流速に影響しうる。好ましくは粒子フィルターを備えた開口である圧力補正手段は、好ましくはカバー中に設けられる。しかし、保存容器の異なった場所に配置されてもよい。
【００１９】
また、空気処理剤で空気を高質化する本発明の第２の実施態様は、液体の空気処理剤を受容するための保存容器、および空気処理剤を加熱するための、保存容器に接続された蒸発手段を含有する。本発明の好ましい実施態様は、傾斜した蒸発表面の蒸発手段を有する。空気処理剤はこの傾斜した蒸発表面上を流れる。本発明によれば、未蒸発の空気処理剤を保存容器へと再循環させる再循環手段が、蒸発手段に接続される。従って、好ましくは、空気処理剤の薄膜が蒸発手段の蒸発表面上に形成し、これによって空気処理剤の均一な蒸発が蒸発表面の表面全体にわたって生じる。
【００２０】
過剰の空気処理剤を回収してこれを保存容器へと再循環する再循環手段を提供することによって、蒸発手段に供給される空気処理剤の量を過剰なほど正確に決定する必要がなくなる。むしろ、蒸発させ、処理される空気に供給される空気処理剤の量は基本的に、蒸発手段の蒸発表面の温度に依存する。従って、処理される空気に供給される空気処理剤の量は単に、蒸発表面の温度を制御することによって調節されうる。さらに、本発明による装置は、好ましくは空気処理剤が連続的に蒸発表面上を流れという事実により、蒸発表面上に堆積物が形成されないという利点を有する。堆積物は蒸発手段の機能に悪影響を及ぼしうり、蒸発手段を定期的に洗浄する必要がある。本発明による装置では、この洗浄は不必要または、大抵非常に長期間ごとに必要なだけである。
【００２１】
蒸発表面の傾斜は好ましくは、平面に構成され、好ましくは水平な平面に対して１０°〜３０°である。１５°〜２５°の傾斜が特に好ましい。
【００２２】
空気処理剤の蒸発表面上における方向付けされた流れを確保するために、蒸発表面は好ましくは、空気処理剤の流れ方向に走る搬送用溝を備える。
【００２３】
好ましくは、本発明の第２の実施態様は、前述の本発明の第１の実施態様に従って設計された混合容器を有する。好ましくは、空気の流れを発生させる手段、例えば、ファンが混合容器内に配置される。蒸発手段の下側にファンを配置し、これによって空気が蒸発手段の横を流れるようにし、よって蒸発した空気処理剤で高質化することは特に好ましい。蒸発手段の下側にファンを配置することは、蒸発表面がファンによって発生した空気の流れによって冷却されすぎず、これによって所望の蒸発速度が保持されるという利点を有する。
【００２４】
傾斜した蒸発表面を有する本発明の第２の実施態様は、さらに前述の第１の実施態様に従って有効に開発されうる。
【００２５】
空気の殺菌用の本発明による装置の使用では、殺菌薬組成物（Ｘ）が好ましくは空気処理剤として用いられる。好ましくは、殺菌薬組成物は１、２以上のＧＲＡＳ（一般に安全と認められる）芳香剤またはその誘導体を含有する。２以上のＧＲＡＳ芳香剤を含有する好ましい殺菌薬組成物は、国際特許出願第０１／０３７４７号公報第５〜第１４頁に記載されている（ここでこれを参照して挿入する）。さらに、以下に特定するように、１のみのＧＲＡＳ芳香剤を含有する殺菌薬組成物、例えばプロピレングリコールまたはベンジルアルコールのような１のみのＧＲＡＳアルコールを含有する組成物を用いてもよい。
【００２６】
空気の匂いの中和のために、匂い−マスキング組成物（Ｙ）が好ましくは用いられ、これはテルペン、コーンスターチ、マンガン塩、エッセンシャルオイルおよびポリビニルピロリドン（ＤＥ  １０１  ００  ５９５）から選択される少なくとも１つの匂い−マスキング成分（Ａ）を含有する。
【００２７】
匂い−マスキング成分（Ａ）の好ましい化合物は、ポリビニルピロリドン（ポリビドン；ポリ（２−オキソ−１−ピロリジニル）エチレン；ポリ（１−ビニル−２−ピロリドン）；以後ときどき簡単に「ＰＶＰ」と示す）であり、本質的にＰＶＰは１０，０００〜６０，０００ｇ／ｍｏｌ，好ましくは３０，０００〜５０，０００ｇ／ｍｏｌの分子量を有する。約４０，０００ｇ／ｍｏｌの分子量を有するＰＶＰ、即ち、ある程度の架橋（即ち水中において２０重量％で１５〜２５、好ましくは約２ｍＰa・ｓの粘度）を有するＰＶＰが特に好ましい。匂い−マスキング組成物中の匂い−マスキング成分（Ａ）の割合は好ましくは、０．００１〜５０重量％、より好ましくは０．１〜１０重量％の範囲内である。
【００２８】
本発明によれば、匂い−マスキング組成物（Ｙ）はさらなる機能性芳香成分（Ｂ）を含有しうる。好ましくは１以上の以下の物質を含有する：ヘキシルブチレート、オクチルアセテート、イソブチルイソブチレート、シス−３−ヘキセン−１−イルアセテート、γ−デカラクトン、エチルカプロエート、ブチルアセテート、エチルベンゾエート、エチルブチレート、ヘキシルアセテート、メチルカプロエート、フェニルエチルアルコール、シトロネロール、ウンデシルアルデヒド、ベンジルフェニルアセテート、シンナミルアルコール、オイゲノール、ベンジルアセテート、リナロオール、シス−ジャスモン、アセチルメチルアントラニレート、シス−３−ヘキセン−１−オール、シス−３−ヘキセン−１−イルサリチレート、メチルベンゾエート、メチルサリチレート、ゲラニルアセテート、シス−３−ヘキセン−１−イルアセテート、リトシー・クベバ、オレンジオイル、フェニルプロピルアルコールおよびフェニルエチルアセテート。
【００２９】
好ましくは、機能性芳香成分（Ｂ）の割合は、匂い−マスキング組成物の０．００１〜２０重量％、好ましくは０．１〜５重量％である。
【００３０】
本発明によれば、匂い−マスキング組成物（Ｙ）はさらに、芳香成分（Ｃ）を含有してもよく、これはエッセンシャルオイル、フレーバーおよびフレグランスから選択される。匂い−マスキング組成物中の芳香成分（Ｃ）の割合は０．０１〜９５重量％、好ましくは０．１〜８０重量％である。
【００３１】
特に好ましい実施態様では、芳香成分（Ｃ）は殺菌薬物質を含有し；好ましくは少なくとも１つのＧＲＡＳ（一般に安全と認められる）芳香剤を含有する。もちろん、芳香族ＧＲＡＳフレーバーアルコール（例えば、ベンジルアルコール、シンナミルアルコール、α−メチルベンジルアルコールおよびアニスアルコール、ベンジルアルコールが好ましい）、疎水性ＧＲＡＳフレーバーアルコール、例えば、プロピレングリコール、またはＧＲＡＳポリフェノール化合物、または少なくとも２つのＧＲＡＳ芳香剤を含有するものを含むこれら芳香成分（Ｃ）およびこれら前述の殺菌薬組成物（Ｘ）が特に好ましい。本質的に、
（ａ）１以上のＧＲＡＳフレーバーアルコールまたはその誘導体；および
（ｂ）（ｂ１）ポリフェノール化合物；および（ｂ２）ＧＲＡＳフレーバー酸またはその誘導体から選択される１以上の芳香剤；
を含有するこれら芳香成分（Ｃ）および殺菌薬組成物（Ｘ）が特に好適であることが見いだされている。
【００３２】
前述の成分（ａ）のＧＲＡＳフレーバーアルコールおよび成分（ｂ）から以下に規定する（ｈ）までは食品使用に対して一般に安全であるとしてＦＤＡ国家機関によって認められている（ＧＲＡＳ＝食品において一般に安全と認められる）。以下に規定する前述のＧＲＡＳフレーバーアルコールおよび他のＧＲＡＳ芳香剤は、ＦＥＭＡ／ＦＤＡ  ＧＲＡＳ  フレーバー物質一覧  ＧＲＡＳ  ３−１５  Ｎｏ．２００１−３９０５（２０００と同様）に記載されている。この一覧は米国公共健康機関、ＦＤＡによって、食料品での使用のために承認された天然および合成芳香剤を含む：ＦＤＡ規定２１ＣＦＲ１７２．５１５（合成フレーバー物質および補助剤）およびＦＤＡ規定２１ＣＦＲ１８２．２０（天然フレーバー物質および補助剤）。
【００３３】
芳香成分（Ｃ）または殺菌薬組成物（Ｘ）は、０．１〜９９．９重量％、好ましくは０．５〜９９重量％の成分（ａ）；
０〜２５重量％、好ましくは０．０１〜１０重量％の成分（ｂ１）；および／または
０〜７０重量％、好ましくは０．０１〜３０重量％の成分（ｂ２）を含みうる。
【００３４】
本発明によれば、成分（ａ）は１以上のＧＲＡＳフレーバーアルコールを含んでもよい。本発明によれば、２または３のＧＲＡＳフレーバーアルコールを用いることが好ましい。詳しくは、以下のＧＲＡＳフレーバーアルコールを用いてもよい：例えば、ベンジルアルコール、アセトイン（アセチルメチルカルビノール）、エチルアルコール（エタノール）、プロピルアルコール（１−プロパノール）、イソ−プロピルアルコール（２−プロパノール、イソ−プロパノール）、プロピレングリコール、グリセロール、ｎ−ブチルアルコール（ｎ−プロピルカルビノール）、イソ−ブチルアルコール（２−メチル−１−プロパノール）、ヘキシルアルコール（ヘキサノール）、Ｌ−メントール、オクチルアルコール（ｎ−オクタノール）、シンナミルアルコール（３−フェニル−２−プロペン−１−オール）、α−メチルベンジルアルコール（１−フェニルエタノール）、ヘプチルアルコール（ヘプタノール）、ｎ−アミルアルコール（１−ペンタノール）、イソ−アミルアルコール（３−メチル−１−ブタノール）、アニスアルコール（４−メトキシベンジルアルコール、ｐ−アニスアルコール）、シトロネロール、ｎ−デシルアルコール（ｎ−デカノール）、ゲラニオール、β−γ−ヘキセノール（３−ヘキセノール）、ラウリルアルコール（ドデカノール）、リナロオール、ネロリドール、ノナジエノール（２，６−ノナジエン−１−オール）、ノニルアルコール（ノナノール−１）、ロジノール、テルピネオール、ボルネオール、シリネオール（オイカルピトール）、アニソール、クミニルアルコール（クミノール）、１０−ウンデセン−１−オール、１−ヘキサデカノール。前記誘導体としては、天然および合成の（天然に生じる、またはそうでない）誘導体の両方が使用されうる。好適な誘導体には、例えば、前述のＧＲＡＳフレーバーアルコールのエステル、エーテルおよびカーボネートがある。特に好ましいＧＲＡＳフレーバーアルコールは、ベンジルアルコール、１−プロパノール、グリセロール、プロピレングリコール、ｎ−ブチルアルコール、シトロネロール、ヘキサノール、リナロオール、アセトインおよびその誘導体である。
【００３５】
成分（ｂ１）として、以下のポリフェノールを使用しても良い：カテコール、レゾルシノール、ヒドロキノン、フロログルシノール、ピロガロール、シクロヘキサン、ウスニン酸、アシルポリフェノール、リグニン、アントシアン、フラボン、カテコール、ガリウム酸誘導体（例えば、タンニン、ガロタンニン、タンニン酸、ガロタンニン酸）を用いてもよく、前述の化合物の誘導体、例えば、（２，５−ジヒドロキシフェニル）カルボン酸および（２，５−ジヒドロキシフェニル）アルキレンカルボン酸置換物、塩、エステル、アミド；カフェイン酸およびそのエステルおよびアミド、フラボノイド（例えば、フラボン、フラボノール、イソフラボン、ゴシペチン、ミリセチン、ロビネチン、アピゲニン、モリン、タキシホリン、エリオジクチオール、ナリンジン、ルチン、ヘスペリジン、トロキセルチン、クリシン、タンゲリチン、ルテオリン、カテコール、ケルセチン、フィセチン、ケンペロール、ガラニン、ロテノイド、オーロン、フラボノール、フラボンジオール）、例えば、ツバキ、サクラソウからのエキスを含む。さらに、これらの可能な誘導体、例えば、塩、酸、エステル、酸化物およびエーテル。特に好ましいポリフェノールはタンニン（ＧＲＡＳ化合物）である。
【００３６】
成分（ｂ２）として、以下のＧＲＡＳ酸を使用しても良い：例えば、酢酸、アコニチン酸、アジピン酸、蟻酸、リンゴ酸（１−ヒドロキシスクシン酸）、カプロニン酸、ヒドロシンナミン酸（３−フェニル−１−プロピオン酸）、ペラルゴン酸（ノナン酸）、乳酸（２−ヒドロキシプロピオン酸）、フェノキシ酢酸、（グリコール酸フェニルエーテル）、フェニル酢酸（α−トルエン酸）、吉草酸（ペンタン酸）、イソ−吉草酸（３−メチルブチル酸）、けい皮酸（３−フェニルプロペン酸）、クエン酸、マンデル酸（ヒドロキシフェニル酢酸）、酒石酸（２，３−ジヒドロキシブタンジオン酸；２，３−ジヒドロキシスクシン酸）、フマル酸、タンニン酸およびその誘導体。
【００３７】
本発明による前述の酸の好適な誘導体はエステル（例えば、Ｃ１−６アルキルエステルおよびベンジルエステル）、アミド（Ｎ−置換アミドを含む）および塩（アルカリ、アルカ土およびアンモニウム塩）である。本発明によれば、「誘導体」という用語は側鎖ヒドロキシ官能基の変更（例えばアシルおよびアルキル誘導体）および二重結合の変更（例えば、前述の酸の過水素化および水酸化誘導体）を表す。
【００３８】
成分（ａ）の成分（ｂ）に対する混合比は好ましくは、１０，０００：１〜１：１０，０００、より好ましくは１，０００：１〜１：１，０００、およびさらにより好ましくは、１００：１〜１：１００である。
【００３９】
本発明による装置の好ましい実施態様では、芳香成分（Ｃ’）または殺菌薬組成物（Ｘ）は：
（ａ１）必要成分としてのベンジルアルコール；と任意に、
（ａ２）１以上のさらなるＧＲＡＳフレーバーアルコールまたはその誘導体；および
（ｂ１）１以上のポリフェノール化合物；および／または
（ｂ２）１以上のＧＲＡＳ酸またはその誘導体
を含有する。
【００４０】
成分（ａ１）、（ａ２）、（ｂ１）および（ｂ２）の好適な量は、
０．１〜９９重量％、好ましくは０．１〜７５重量％のベンジルアルコール；
０〜９９．８重量％、好ましくは０．０１〜９９重量％の成分（ａ２）；
０〜２５重量％、好ましくは０．０１〜１０重量％の成分（ｂ１）；および／または
０〜７０重量％、好ましくは０．０１〜３０重量％の成分（ｂ２）である。
【００４１】
芳香成分（Ｃ’）または殺菌薬組成物（Ｘ）はさらに、以下の成分（ｃ）〜（ｈ）を含んでもよく、これもＦＥＭＡ／ＦＤＡ  ＧＲＡＳ  フレーバー物質一覧  ３−１５  Ｎｏ．２００１−３９０５（２０００と同様）においてＧＲＡＳ（食品において一般に安全と認められる）として認められている芳香剤である。
【００４２】
成分（ｃ）として、以下のフェノール化合物を用いてもよい：チモール、メチルオイゲノール、アセチルオイゲノール、サフロール、オイゲノール、イソオイゲノール、アネトール、フェノール、メチルチャビコール（エストラゴール；３−（４−メトキシフェニル）−１−プロペン）、カルバクロール、α−ビサボロール、ホルネソール、アニソール（メトキシベンゼン）、プロペニルグエトール（５−プロペニル−２−エトキシフェノール）およびその誘導体。
【００４３】
ＧＲＡＳエステル（成分（ｄ））として、アリシンおよび以下のアセテートを用いてもよい：イソ−アミルアセテート（３−メチル−１−ブチルアセテート）、ベンジルアセテート、ベンジルフェニルアセテート、ｎ−ブチルアセテート、シンナミルアセテート（３−フェニルプロペニルアセテート）、シトロネリルアセテート、エチルアセテート（酢酸エステル）、オイゲノールアセテート（アセチルオイゲノール）、ゲラニルアセテート、ヘキシルアセテート（ヘキサニルエタノエート）、ヒドロシンナミルアセテート（３−フェニル−プロピルアセテート）、リナリルアセテート、オクチルアセテート、フェニルエチルアセテート、テルピニルアセテート、トリアセチン（グリセリルトリアセテート）、酢酸カリウム、酢酸ナトリウム、酢酸カルシウム。さらに、好適なエステルは、先に規定した酸（成分（ｂ２））のエステル誘導体。
【００４４】
テルペン（成分（ｅ））として、例えば、カンフル、リモネンおよびβ−カリオフィレンを用いてもよい。
【００４５】
使用しうるアセタール（成分（ｆ））には、例えば、アセタール、アセトアルデヒドジブチルアセタール、アセトアルデヒドジプロピルアセタール、アセトアルデヒドフェネチルプロピルアセタール、けい皮アルデヒドエチレングリコールアセタール、デカナールジメチルアセタール、ヘプタナールジメチルアセタール、ヘプタナールグリセリルアセタールおよびベンズアルデヒドプロピレングリコールアセタールがある。
【００４６】
アルデヒド（成分（ｇ））として、例えば、アセトアルデヒド、アニスアルデヒド、ベンズアルデヒド、イソ−ブチルアルデヒド（メチル−１−プロパナール）、シトラール、シトロネラール、ｎ−カプリルアルデヒド（ｎ−デカナール）、エチルバニリン、フルフラール、ヘリオトロピン（ピペロナール）、ヘプチルアルデヒド（ヘプタナール）、ヘキシルアルデヒド（ヘキサナール）、２−ヘキセナール（β−プロピルアクロレイン）、ヒドロけい皮アルデヒド（３−フェニル−１−プロパナール）、ラウリルアルデヒド（ドデカナール）、ノニルアルデヒド（ｎ−ノナナール）、オクチルアルデヒド（ｎ−オクタナール）、フェニルアセトアルデヒド（１−オキソ−２−フェニルエタン）、プロピオンアルデヒド（プロパナール）、バニリン、けい皮アルデヒド（３−フェニルプロペナール）、ペリルアルデヒドおよびクミンアルデヒドを使用してもよい。
【００４７】
本発明によれば、以下のエッセンシャルオイルおよび／またはアルコール性またはグリコール性エキスまたは前述の植物からＣＯ２高圧処理によって得られるエキス（成分（ｈ））を用いることもできる：
（ｈ１）高含有量のアルコールを有するオイルまたはエキス：メリッサ、コリアンダー、ショウズク、ユーカリ；
（ｈ２）高含有量のアルデヒドを有するオイルまたはエキス：ユーカリ、シトリオドラ、シナモン、レモン、レモングラス、メリッサ、シトロネラ、ライム、オレンジ；
（ｈ３）高含有量のフェノールを有するオイルまたはエキス：マヨラナ、タイム、ローズマリー、オレンジ、クローブ、フェンネル、カンフル、マンダリン、アニス、カスカリラ、エストラゴンおよびピメント；
（ｈ４）高含有量のアセテートを有するオイルまたはエキス：ラベンダー；
（ｈ５）高含有量のエステルを有するオイルまたはエキス：マスタード、オニオン、ガーリック；
（ｈ６）高含有量のテルペンを有するオイルまたはエキス：ペッパー、ビターオレンジ、キャラウェー、ジル、レモン、ペパーミント、ナツメグ。
【００４８】
芳香成分（Ｃ）または（Ｃ’）中、および殺菌薬組成物（Ｘ）中の成分（ｃ）〜（ｈ）の割合は好ましくは、２５重量％以下、より好ましくは０．００１〜９重量％の範囲内である。さらなるＧＲＡＳ芳香剤の中で、フェノール（ｃ）およびエッセンシャルオイル（ｈ）が好ましい。
【００４９】
本発明によれば、芳香成分（Ｃ）または（Ｃ’）および殺菌薬組成物（Ｘ）において、殺菌活性成分が独占的にＧＲＡＳ芳香剤からなる、即ちＧＲＡＳ芳香剤のいずれの「誘導体」も含有しないことが、特に好ましい。このような組成物の例として、ベンジルアルコール、１または２の前述のＧＲＡＳフレーバーアルコール（ａ２）およびタンニンの混合物を述べてもよい。このような混合物は好ましくは、０．１〜９９．９重量％、より好ましくは０．１〜２０重量％のベンジルアルコール、および０．０１〜１０重量％のタンニンを含有する。好ましい組成物の他の例は、２つのアルコール、ポリフェノール（特にタンニン）およびエッセンシャルオイル（特にフェノール性エッセンシャルオイル、成分（ｈ３））の混合物である。
【００５０】
成分（Ａ）〜（Ｃ）に加えて、さらに化合物（Ｄ）、例えばアルコール（Ｄ１）、乳化剤（Ｄ２）、安定剤（Ｄ３）、酸化防止剤（Ｄ４）、防腐剤（Ｄ５）、溶剤（Ｄ６）、キャリアー（Ｄ７）等を組成物（Ｘ）および（Ｙ）に付加的に用いてもよい。匂い−マスキング組成物中の成分（Ｄ）の割合は９９重量％以下でよく、好ましくは５０重量％以下であり、より好ましくは０．１〜２０重量％の範囲内である。
【００５１】
本発明によれば、アルコール（Ｄ１）は２〜１０個の炭素原子を有する、好ましくは２〜７個の炭素原子を有する一価または多価アルコールであり、ここでＧＲＡＳアルコール（ａ）は除外される。好ましくは、ＧＲＡＳフレーバーアルコール（ａ）およびさらなるアルコール（Ｄ１）は、その混合比が１０００：１〜１：１０００、特に１００：１〜１：１００、より好ましくは１０：１〜１：１０となる量で用いられる。
【００５２】
キャリアーＤ７は好ましくは重合性化合物、例えば、ポリエチレングリコール、ポリプロピレングリコール等である。
【００５３】
ある用途では、例えば、匂い−マスキング組成物を食料品に接触させるまたは人が居住する室内で使用する場合には、エタノールおよびイソプロパノールのない、またはエタノールおよびイソプロパノールの害となるような投与のないシステムを用いることが適当でありうる。なぜなら、例えば、これらの物質は食品に吸収され、処理された部屋にいる人によって吸い込まれる可能性があるからである。さらに、このような化合物をもちいる場合には、爆発の危険性がありうる。
【００５４】
特に、前述の装置を冷却手段、例えば家庭用冷蔵庫に接続して使用してもよい。従って、少量の空気処理剤、特に、空気殺菌剤または匂い−マスキング空気処理剤を冷蔵庫または冷却手段の内部に導入することができる。
【００５５】
本発明による装置の他の好ましい使用はコンピュータに接続したものである。コンピュータ内部に生じる熱および空気中に堆積する埃によって、ファンは大量の細菌を大気中に放出する。従って、本発明による装置は好ましくは、コンピュータのファンの領域に配置される。ここで、コンピュータファンによって生成される空気の流れを空気処理剤の運搬に用いることができる。従って、コンピュータからの細菌を保持した排出空気は即座に空気処理剤によって処理される。さらに、本発明による装置をファンの空気吸引領域に配置し、これによって細菌の形成を発生時から抑えることができる。
【００５６】
冷却手段およびコンピュータでは共に、本発明による装置を冷却手段またはコンピュータの収納の外側に設けることも、内側に設けることも可能である。さらに、蒸発手段として冷蔵庫またはコンピュータの熱源を用いることができる。特にコンピュータでは、追加の蒸発手段を任意に、まったくなくしてもよい。
【００５７】
以下では、本発明をさらに、添付の図面を参照しながら好ましい実施態様によって例示する。
【００５８】
本発明による装置は空気処理剤１２を受容するための保存容器１０を含有する。例示の実施例では、容器１０は筒状である。しかし、保存容器は角型でも他の形状を有してもよい。保存容器１０の底１４は出口１６方向に傾いており、たとえ少量の空気処理剤１２しか保存容器１０中に含まれていない場合でも、空気処理剤１２が出口１６へと流れるようにする。保存容器１０の容量は、保存容器１０が約１ヶ月間持続する量の空気処理剤１２を充填しうるようにする。
【００５９】
保存容器１０に充填するために、装填ホール１８を有し、これは筒状の装填ピース２０に接続されている。装填ピース２０はカバー２２で閉じられ、これは例示の実施例では錐台−円錐形状を有する。たとえカバー２２が閉じられていても、開口を保持する空気入口開口部２４を生じさせるために、カバー２２に面した筒状ピース２０の末端は銃眼付胸壁をつけた部分等を備えている。空気入口開口部２４は常に保存容器１０中を大気圧にし、空気処理剤の搬送量が減圧によって影響されないようにすることができる。
【００６０】
出口１６は出口ピース２６を備え、これにパイプ３０がフランジ２８を通して取り付けられている。埃または他の粒子がパイプ３０内に進入するのを防止するために、例えば、微細メッシュフィルターを出口１６中に設けてもよい。出口１６領域にフィルターを設けることは、出口１６の反対側に配置された装填ホール１８を通じて簡単に取り替えおよび洗浄することができるという利点を有する。フィルターは約０．１ｍｍ以上、より好ましくは０．０２ｍｍ以上の直径を有する粒子をろ過除去するような設計を有する。
【００６１】
埃または他の粒子が保存容器１０内に進入するのを防止するために、さらに、対応する粒子フィルターを入口開口部２４内に設けてもよい。
【００６２】
パイプ３０は混合容器３２と接続され、パイプ３０の末端３４は混合容器３２内部に突き出ている。例示の実施例では、パイプ３０はその末端３４がプレートまたはディスク３６で閉ざされており、このプレートまたはディスクは好ましくは交換可能である。好ましくは、ディスク３６の中央には、円盤状の穴の形状の出口３８が投与手段として設けられている。穴は好ましくは０．０２〜０．１ｍｍの直径を有する。これは、前述の少量の空気処理剤１２が混合容器３２に到達するのを確保している。
【００６３】
パイプ３０には、ハンドホイール４２を有する遮断バルブ４０が、空気処理剤の混合容器３２への供給を中断させるために設けられている。従って、バルブ４０は独占的に装置を停止させる役目を果たしている。対応するバルブを、保存容器１０の出口１６の直下に配置することも可能である。
【００６４】
さらに、微細−メッシュの篩４４が、出口１６内部に設けられている微細−メッシュ篩に追加して、またはその代わりに、パイプ３０内に設けられている。篩４４のメッシュは好ましくは、任意に出口１６に存在する篩と同じである。バルブ４０を閉じた後、篩４４を交換して篩４４を容易に洗浄することができる。
【００６５】
保存容器１０と投与手段の出口３８の高さが異なっていることにより、空気処理剤１２を搬送するためのポンプ等は必要ない。空気処理剤１２の混合容器３２への供給は重力によって独占的に行われる。出口３８と混合容器１０の最大充填高さとの間の高さの差の最大値は、５〜１５ｃｍ、特に５〜１０ｃｍである。これは、空気処理剤１２が出口３８において（しかし大気圧よりわずかに高い）圧力を有することを確保している。従って、空気処理剤１２の混合容器３２への供給は擬似無加圧である。完全に充填されたときの保存容器１０とほとんど空のときの保存容器１０との間の圧力差をできるだけ低くするために、保存容器１０中の空気処理剤１２の最大と最小の充填高さの差の最大値は、好ましくは、６ｃｍ以下、特に４ｃｍ以下である。容器の大きさは約３００〜４００ｍｌの容量を備えるように選択される。
【００６６】
空気処理剤１２の混合容器３２への供給が独占的に重力によって行われるので、この好ましい実施態様は制御、特に流れ制御バルブ等を必要としない。
【００６７】
混合容器３２内には、蒸発手段４６が配置される。例示の実施態様では、蒸発手段４６は混合容器３２の底を構成し、混合容器３２の底全体が蒸発手段４６として設計されている。蒸発手段４６は、高い熱伝導率を有する材料からなる蒸発皿４８を有する。蒸発皿は好ましくは、アルミニウムで形成されている。蒸発皿の底、好ましくはその外側に、加熱フィルム５０が設けられている。加熱フィルム５０はエネルギー源に接続されている。好ましくは、加熱フィルム５０は１２Ｖのエネルギー源によって給電され、１０〜１５Ｗａｔｔのパワー入力を有する。加熱フィルムは好ましくは、受容皿４８を４０〜７０℃、特に５０〜６０℃に加熱する。従って、出口３８を出た空気処理剤は比較的ゆっくりと受容皿４８中で蒸発し、混合容器３２の出口５２へと上昇する。好ましくは、受容皿４８は傾斜しており、出口３８からこぼれて、受容皿４８へと供給された空気処理剤が受容皿４８の加熱された底全体に広がって、均一に蒸発するようにしている。
【００６８】
混合容器３２の側壁（好ましくは回転対称を有する）には、空気入口開口部５４が設けられている。空気入口開口部５４は好ましくは、周囲に均一に分布して、周囲の空気の混合容器３２への均一供給を確保している。空気入口開口部５４を通じての混合容器３２への空気供給は空気の流れを発生させるための手段、例えばファン５６によって行われる。ファン５６は蒸発手段４６の反対側に、混合容器３２の出口５２上に設けられている。ファンは空気を入口開口部５４を通じて矢印５８の方向に混合容器３２の内部へと吸引し、処理される空間へと矢印６０の方向に噴出している。
【００６９】
特に、混合容器３２の漏斗型設計（その断面が蒸発手段４６から出口５２へと大きくなっている）により、煙突効果が混合容器３２内で生じる。受容皿４８中の空気処理剤の蒸発を妨害しないために、空気入口開口部５４は蒸発手段４６、即ち受容皿４８の上部からある距離に配置されている。蒸発手段４６に最も近い位置にある空気入口開口部５４の距離は好ましくは、２〜８ｃｍ、特に４〜６ｃｍである。
【００７０】
原則的に、図３に示す第２の好ましい実施態様は、図１および２に示す実施態様に対応している。従って、装置の同じまたは類似の部品は同じ参照記号で示す。
【００７１】
２つの好ましい実施態様間の本質的違いは、第２の好ましい実施態様（図３）を取り付けるのに必要な空間がより小さいということである。これは、混合容器３２が保存容器６２を通って突き出ることを可能にすることによって達成される。従って、保存容器６２は底６４および反対側の上壁６６に開口部６８、７０を有する。混合容器３２は開口部６８、７０を通って挿入され、これによってファン５６は保存容器１０の上方に配置されている。
【００７２】
混合容器３２に関する保存容器６２の配置は、混合容器の出口１６が中央ではなく、保存容器の一方側に配置される結果となる。装填ホール１８、装填ピース２０およびカバー２２は順に本質的には出口１６の反対側に配置される。
【００７３】
好ましくは、保存容器６２は保存容器１０に従って筒状の側壁７２を有する。
【００７４】
例示の実施例では、混合容器３２は漏斗型の設計よりむしろ筒状−環状を有する。しかし、本実施態様でも、漏斗型混合容器３２を提供することができる。
【００７５】
図４に示す実施態様は、別の好ましい実施態様であり、図１〜３に記載した本発明の好ましい実施態様に比べて、蒸発手段４６が水平な平面に対して傾いた蒸発表面７４を有するという本質的違いがある。図４〜６に記載する本発明のこれらの実施態様に類似の部品は同じ参照記号で示す。特に蒸発手段４６に供給される量および保存容器１０の大きさに関して、本実施態様は好ましくは本質的に前述の実施態様に対応している。
【００７６】
空気処理剤１２は保存容器からパイプ７８、８０を通じて蒸発手段４６へとポンプ７６を使ってくみ上げられる。供給ノズル８２から出る空気処理剤は供給ノズルのスロット型出口８４から出る。本質的に、スロット８４は蒸発表面７４の幅全体に広がっており、例示の実施例では角型である。蒸発表面７４は単なる金属シートでもよいが、好ましくはアルミニウムまたは銅、即ち高い熱伝導率を有する材料で形成されている。蒸発表面７４の加熱は加熱フィルム５０によって行われる。空気処理剤が上側領域７６から、傾斜蒸発表面７４全体を流れる間に、空気処理剤の大部分は加熱フィルム５０によって供給される熱により蒸発する。
【００７７】
過剰の空気処理剤は再循環手段８８によって回収され、パイプ９０を通って保存容器１０に再循環される。再循環手段８８は好ましくは、漏斗型であり、蒸発表面７４の幅全体に広がっている。供給ノズル８２および再循環手段８８は、従って、互いに反対側に配置され、供給ノズルは蒸発表面７４の上側領域８６中に配置され、再循環手段８８は蒸発表面７４の下側領域９２中に配置される。
【００７８】
空気を空気処理剤で高質化するために、図４〜６に示す実施態様でも、空気の流れを発生させるための手段、例えばファン５６を有する。例示の実施態様では、ファン５６は蒸発手段４６の下側に配置される。従って、混合容器の空気入口開口部５４を通じて吸収された空気は、ファン５６によって矢印９６方向に案内される。空気が蒸発手段の下側へ流れるので、空気はこの下側に沿って外に案内され、外側表面を通過、即ち蒸発手段４６の横を通過し、出口５２へと上向きに流れ、処理される空間へと矢印９８方向に流れる。
【００７９】
例示の実施例では、混合容器９４は同時に、ポンプ７６、ファン５６および蒸発手段４６用の収納容器としての役目を果たす。さらに、保存容器１０は収納容器としての役目を果たす容器９４内に配置される。
【００８０】
保存容器１０に充填するために、カバー１０２で閉ざされうる装填ピース１００が設けられている。
【００８１】
図７は冷却手段１１０を示し、その外側の壁１１２に本発明による空気を高質化するための装置１１４が取り付けられていることを示す。装置１１４は例えば、図１〜６に記載したような本発明の実施態様であってもよい。好ましくは、保存容器１０（例えば、図１および４）の代わりに、別の保存容器１１６が設けられ、例えば、冷蔵庫の上側１１８に配置されてもよい。保存容器１１６は、空気処理剤が好ましくは約６ヶ月、より好ましくは約１２ヶ月間隔での補給しか必要としないように選択される保存容器容量である。
【００８２】
装置１１４によって排出され、空気処理剤で高質化された空気は矢印１２０方向にダクト１２２を通って冷蔵庫１１０の内部空間１２４へと進む。
【００８３】
本発明の他の好ましい実施態様（図８)では、空気を高質化するための装置１１４は冷蔵庫１１０の内部空間１２４内に配置される。好ましくは装置１１４は、前述の好ましい実施態様の装置の１つである。空気処理剤を含有する空気は即座に冷蔵庫の内部空間１２４へと矢印１２６方向に排出される。
【００８４】
図１〜６に記載した実施態様によれば、保存容器は冷蔵庫１１０の内側に設けることができる。しかし、好ましくは大型の保存容器１１６が冷蔵庫の上側表面に設けられる。保存容器１１６は装置１１４に接続ホース１２８を通じて接続される。さらに、装置１１４は付加的に保存容器１１６よりも少ない容量の別の保存容器を有することができ、例えば中間チャンバー等は大型の保存容器１１６から自動的に補充される。従って、装置１１６は装置１１４内に設けられた保存チャンバーを補充する役目を果たす。
【００８５】
好ましくは、装置１１４は、冷却空間１２４内に本発明による装置１１４を提供することによる冷蔵庫の加熱を防止するために、断熱収納容器によって取り囲まれる。
【００８６】
本発明の他の好ましい実施態様（図９）では、空気を高質化するための装置はコンピュータの収納容器１３０の外側に設けられる。例示の実施例では、図４による装置が設けられている。もちろん、図１〜３に示す実施態様または本発明による他の実施態様の装置を提供することもできる。図９に示す実施態様のある特別の設計は、コンピュータ収納容器１３０の空気排出スロット１３２が空気入口開口部５４の高さに設けられてなる。従って、空気処理剤を備えた空気の搬送は即座にコンピュータのファン１３４によって行われる．従って、別のファン５６を装置１１４から排除することができる。従って、コンピュータ収納容器内部に装置１１４を配置することもできる。
【００８７】
本発明はさらに：
冷却手段を殺菌および／または脱臭する、特に冷蔵庫を殺菌する方法であって、前述のような装置を用いた冷却手段内での殺菌薬組成物および／または匂い−マスキング組成物の蒸発を含む方法；および
コンピュータおよびコンピュータが置かれた部屋を殺菌する方法であって、コンピュータのエアレーションシステムの領域において提供される、前述のような装置による殺菌薬組成物の蒸発を含む方法に関する。
【００８８】
前述の殺菌薬組成物および匂い−マスキング組成物は好ましくは前述の組成物（Ｘ）および（Ｙ）である。
【００８９】
冷却手段用の殺菌方法では、殺菌薬組成物は冷蔵庫の容量に依存して０．０００１〜０．５ｍｌ／時間の量で蒸発させる。殺菌薬組成物はまた、前述の匂い−マスキング化合物を含有することができ、これによって冷蔵庫中に広がりうる不愉快な匂いを低減させることができる。
【００９０】
前述の方法では、殺菌薬組成物は、大気中で１００ｐｐｂ（ｐａｒｔｓ  ｐｅｒ  ｂｉｌｌｉｏｎ）以下、好ましくは約１０ｐｐｂ以下の濃度を確保するように導入され、これは０．０１ｍｌ／ｍ３（空間）／時間で導入することによって確保される。
【００９１】
本発明はさらに、以下の実施例によって例示される。
【実施例】
【００９２】
以下の実施例では、ＨｉＱ  Ｃａｉｒｅ（１重量％のタンニン、０．５重量％のエッセンシャルオイル、残りがプロピレングリコールからなる）を殺菌薬組成物として使用した。
【００９３】
（実施例１：ＰＣテスト）
ＨｉＱ  Ｃａｉｒｅを用い、これを本発明による装置とともに、ＰＣタワー内のファン排気領域（図９参照）に、０．０１ｍｌ／ｍ３／ｈの適用量（１０ｐｐｂ以下のＨｉＱ  Ｃａｉｒｅ濃度）で導入することによって、パーソナルコンピュータおよび大気中の細菌を０へと減少させる。実験結果を表１に示す。
【００９４】
[表１]
2004532087.tif 000003
*かび菌＝アスペルギルスおよびペニシリウム
** n.e.＝未試験
【００９５】
（実施例２：冷蔵庫テスト）
本発明による蒸発手段を用いて、０．５ｍｌ／ｈのＨｉＱ  Ｃａｉｒｅを冷蔵庫に外側から導入した（図７参照）。これは、明らかに冷蔵庫中の食品における細菌を減少させた。実験結果を表２に示す。
【００９６】
[表２]
2004532087.tif 000004
【図面の簡単な説明】
【００９７】
【図１】本発明の好ましい実施態様の概略側面図を示す。
【図２】図１のセグメントＡの拡大図を示す。
【図３】本発明のさらなる好ましい実施態様の概略側面図を示す。
【図４】本発明のさらなる好ましい実施態様の概略側面図を示す。
【図５】図４における線Ｖ−Ｖに沿って取った部分図を示す。
【図６】図４における線ＶＩ−ＶＩに沿って取った概略部分図を示す。
【図７】空気を高質化するための装置を冷蔵庫の外側に備えた家庭用冷蔵庫の概略図を示す。
【図８】空気を高質化するための装置を冷蔵庫の内側に備えた家庭用冷蔵庫の概略図を示す。
【図９】本発明による空気を高質化するための装置を備えたコンピュータの概略図を示す。
【符号の説明】
【００９８】
１０、６２・・・保存容器
１２・・・空気処理剤
２４・・・圧力補正手段
３２、９４・・・混合容器
３８・・・投与手段
４４・・・微細メッシュ篩
４６・・・蒸発手段
５０・・・加熱手段
５２・・・出口
５４・・・空気入口開口部
５６・・・ファン
７４・・・蒸発表面
８２・・・供給ノズル
８８・・・再循環手段
１１４・・・空気を高質化する装置
【国際公開パンフレット】
2004532087.tif 000005
2004532087.tif 000006
2004532087.tif 000007
2004532087.tif 000008
2004532087.tif 000009
2004532087.tif 000010
2004532087.tif 000011
2004532087.tif 000012
2004532087.tif 000013
2004532087.tif 000014
2004532087.tif 000015
2004532087.tif 000016
2004532087.tif 000017
2004532087.tif 000018
2004532087.tif 000019
2004532087.tif 000020
2004532087.tif 000021
2004532087.tif 000022
2004532087.tif 000023
2004532087.tif 000024
2004532087.tif 000025
2004532087.tif 000026
2004532087.tif 000027
2004532087.tif 000028
2004532087.tif 000029
2004532087.tif 000030
2004532087.tif 000031
2004532087.tif 000032
2004532087.tif 000033
2004532087.tif 000034
2004532087.tif 000035
2004532087.tif 000036
2004532087.tif 000037
2004532087.tif 000038
2004532087.tif 000039
2004532087.tif 000040
2004532087.tif 000041
2004532087.tif 000042
2004532087.tif 000043
2004532087.tif 000044
2004532087.tif 000045
2004532087.tif 000046
2004532087.tif 000047
2004532087.tif 000048
2004532087.tif 000049
【手続補正書】
【提出日】平成15年7月7日(2003.7.7)
【手続補正１】
【補正対象書類名】特許請求の範囲
【補正対象項目名】全文
【補正方法】変更
【補正の内容】
【特許請求の範囲】
【請求項１】
液体の空気処理剤（１２）を受容するための保存容器（１０、６２）；
保存容器（１０、６２）に接続された、空気処理剤（１２）を加熱するための蒸発手段（４６）；
前記保存容器（１０、６２）と前記蒸発手段（４６）の間に、液体の空気処理剤（１２）の前記蒸発手段（４６）への量−制限された供給のために設けられた投与手段（３８）；
気化した空気処理剤を空気と混合させるために、前記蒸発手段（４６）に接続され、空気が流れる混合容器（３２）；および
空気入口開口部（５４）と通って空気を吸引し、かつ空気と気化した空気処理剤との混合物を出口（５２）を通って外へ排出する空気の流れを発生させるために、混合容器（３２）に配置された手段（５６）を含有し：
混合容器（３２）の出口（５２）を通って排出される空気と気化した空気処理剤の混合物は、空気１立方メートル当たり０．００００１ｍｌ〜０．５ｍｌ、好ましくは０．０００１〜０．０１ｍｌの空気処理剤含有量を有する空気処理剤で空気を高質化する装置。
【請求項２】
前記投与手段は出口（３８）を有し、その断面積は０．００７８ｍｍ２以下、特に０．０００３１ｍｍ２以下であることを特徴とする請求項１による装置。
【請求項３】
保存容器（１０、６２）および蒸発手段（４６）は異なった高さにあり、これによって空気処理剤（１２）の供給が独占的に重力によって行われることを特徴とする請求項１または２による装置。
【請求項４】
前記投与手段は、前記空気処理剤（１２）を前記混合容器（３２）へと搬送するための搬送手段を有することを特徴とする請求項１〜３のいずれかによる装置。
【請求項５】
液体の空気処理剤（１２）を受容するための保存容器（１０）；
保存容器（１０）に接続された、空気処理剤（１２）を加熱するための蒸発手段（４６）；および
過剰の空気処理剤（１２）を蒸発手段（４６）から保存容器（１０）へと再循環させるための再循環手段（８８）を含有し、
前記蒸発手段（４６）は傾斜した蒸発表面（７４）を有し、この上を蒸発させる空気処理剤（１２）が流れる：
空気処理剤で空気を高質化する装置。
【請求項６】
前記蒸発表面（７４）は水平な平面に対して１０°〜３０°、好ましくは１５°〜２５°の傾斜を有することを特徴とする請求項５による装置。
【請求項７】
前記蒸発表面（７４）が流れの方向に走る搬送溝を有することを特徴とする請求項５または６による装置。
【請求項８】
前記蒸発手段（４６）は空気処理剤を蒸発表面（７６）上に均一に分散させるための供給ノズル（８２）を有することを特徴とする請求項５〜７のいずれかによる装置。
【請求項９】
前記供給ノズル（８２）は本質的に蒸発表面（７４）の幅全体に広がっていることを特徴とする請求項８による装置。
【請求項１０】
前記再循環手段（８８）は回収手段を有し、好ましくはこれは漏斗型であることを特徴とする請求項５〜９のいずれかによる装置。
【請求項１１】
前記再循環手段（８８）および前記供給ノズル（８２）は互いに反対側に配置されていることを特徴とする請求項８〜１０のいずれかによる装置。
【請求項１２】
気化した空気処理剤を空気と混合させるために、前記蒸発手段（４６）に接続され、空気が流れる混合容器（９４）を特徴とする請求項５〜１１のいずれかによる装置。
【請求項１３】
空気の流れを発生させるための因子（５６）であって、前記空気の流れを発生させるための因子（５６）は蒸発手段（４６）の下側に配置され、これによって空気が横方向に蒸発手段を通過して流れることを特徴とする請求項５〜１２のいずれかによる装置。
【請求項１４】
前記蒸発手段（４６）は前記混合容器（３２）内に配置されることを特徴とする請求項１〜１３のいずれかによる装置。
【請求項１５】
前記蒸発手段（４６）は混合容器（３２）の底領域に配置され、出口（５２）は蒸発手段（４６）の反対側に配置され、煙突効果を生じることを特徴とする請求項１〜１４のいずれかによる装置。
【請求項１６】
前記空気入口開口部（５４）は前記蒸発手段（４６）の上方であって、前記混合容器（３２）の側壁に設けられることを特徴とする請求項１４または１５のいずれかによる装置。
【請求項１７】
前記混合容器（３２）は出口（５２）方向に漏斗型の設計を有することを特徴とする請求項１〜１６のいずれかによる装置。
【請求項１８】
空気入口開口部（５４）の断面積は出口（５２）の断面積より大きいことを特徴とする請求項１４〜１７のいずれかによる装置。
【請求項１９】
前記保存容器（１０、６２）は圧力補正手段（２４）を有し、これによって大気圧が保存容器（１０、６２）中に広がるようにすることを特徴とする請求項１〜１８のいずれかによる装置。
【請求項２０】
前記圧力補正手段（２４）は粒子フィルターを有することを特徴とする請求項１９による装置。
【請求項２１】
蒸発手段（４６）は、空気処理剤（１２）を受容するための良好な熱伝導率を有する金属製の受容皿（４８）、および加熱手段（５０）、特に加熱フィルムを有し、加熱手段は前記受容皿（４８）に接続されていることを特徴とする請求項１〜２０のいずれかによる装置。
【請求項２２】
微細メッシュ篩（４４）が前記投与手段（３８）の手前に導入されていることを特徴とする請求項１〜２１のいずれかによる装置。
【請求項２３】
処理される空間に供給される空気と空気処理剤の混合物中の空気処理剤の含有量は５００ｐｐｂ以下、好ましくは１０ｐｐｂ以下であることを特徴とする請求項１〜２２のいずれかによる装置。
【請求項２４】
殺菌薬組成物を前記空気処理剤として使用することを特徴とする請求項１〜２３のいずれかによる装置。
【請求項２５】
前記殺菌薬組成物は１以上のＧＲＡＳ芳香剤またはその誘導体を含有することを特徴とする請求項２４による装置。
【請求項２６】
テルペン、コーンスターチ、マンガン塩、エッセンシャルオイルおよびポリビニルピロリドンから選択される少なくとも１つの匂い−マスキング成分（Ａ）を含有する匂い−マスキング組成物を前記空気処理剤として使用することを特徴とする請求項１〜２５のいずれかによる装置。
【請求項２７】
前記匂い−マスキング成分は、少なくとも１０，０００〜６０，０００、好ましくは３０，０００〜５０，０００の分子量を有するポリビニルピロリドンを含有することを特徴とする請求項２６による装置。
【請求項２８】
前記匂い−マスキング組成物はさらに、機能性芳香成分（Ｂ）を含有する請求項２６または２７による装置。
【請求項２９】
前記機能性芳香成分（Ｂ）は１、好ましくはいくつかの以下の物質：ヘキシルブチレート、オクチルアセテート、イソブチルイソブチレート、シス−３−ヘキセン−１−イルアセテート、γ−デカラクトン、エチルカプロエート、ブチルアセテート、エチルベンゾエート、エチルブチレート、ヘキシルアセテート、メチルカプロエート、フェニルエチルアルコール、シトロネロール、ウンデシルアルデヒド、ベンジルフェニルアセテート、シンナミルアルコール、オイゲノール、ベンジルアセテート、リナロオール、シス−ジャスモン、アセチルメチルアントラニレート、シス−３−ヘキセン−１−オール、シス−３−ヘキセン−１−イルサリチレート、メチルベンゾエート、メチルサリチレート、ゲラニルアセテート、シス−３−ヘキセン−１−イルアセテート、リトシー・クベバ、オレンジオイル、フェニルプロピルアルコールおよびフェニルエチルアセテートを含有することを特徴とする請求項２８による装置。
【請求項３０】
請求項１〜２９のいずれかによる空気を高質化する装置を含有する、冷却手段、特に家庭用冷蔵庫。
【請求項３１】
前記空気を高質化する装置（１１４）は冷却手段の収納容器に設けられ、前記空気を高質化する装置は冷却手段の内部空間（１２４）にダクト（１２２）を通じて接続されていることを特徴とする請求項３０による冷却手段。
【請求項３２】
前記空気を高質化する装置（１１４）は冷却手段の内部空間（１２４）に設けられていることを特徴とする請求項３１による冷却手段。
【請求項３３】
請求項１〜２９のいずれかによる空気を高質化する装置（１１４）を含有するコンピュータ。
【請求項３４】
前記空気を高質化する装置（１１４）はコンピュータのエアレーション手段（１３４）の領域に設けられていることを特徴とする請求項３３によるコンピュータ。
【請求項３５】
空気処理剤の搬送は前記コンピュータエアレーション手段（１３４）によって行われることを特徴とする請求項３４によるコンピュータ。
【請求項３６】
コンピュータによって発生した熱が前記蒸発手段としての役目を果たすことを特徴とする請求項３３〜３５のいずれかによるコンピュータ。
【請求項３７】
請求項１〜２９に規定したような装置を用いた、冷却手段内での殺菌薬組成物および／または匂い−マスキング組成物の蒸発を含む、冷却手段を殺菌および／または消臭するための、特に冷蔵庫を殺菌するための方法。
【請求項３８】
請求項１〜２９に規定したような装置を用いた、コンピュータのエアレーションシステム領域に設けられた殺菌薬組成物の蒸発を含む、コンピュータおよびコンピュータが置かれた部屋を殺菌するための方法。
【請求項３９】
前記殺菌薬組成物は１以上のＧＲＡＳ芳香剤またはその誘導体を含有する請求項３７または３８による方法。
【請求項４０】
前記殺菌薬組成物は冷蔵庫を殺菌するために、０．０１〜０．５ｍｌ／ｈの量で蒸発する請求項３８または３９による方法。
【請求項４１】
冷却手段、コンピュータまたはコンピュータが置かれた部屋における殺菌薬組成物の濃度は５００ｐｐｂ以下、好ましくは１０ｐｐｂ以下である請求項３７〜４０のいずれかによる装置。
【国際調査報告】
2004532087.tif 000050
2004532087.tif 000051
2004532087.tif 000052
2004532087.tif 000053
2004532087.tif 000054
2004532087.tif 000055